(57)【要約】【課題】食後の食べ残しである容器本体内に残った食品内容物を、簡便な方法で固体物と液体物とに分離することができ、その後固体物と容器本体との分別処理をも容易にすることのできる即席食品用包装容器の食後の容器と食べ残しの分別処理方法を提供する。【解決手段】湯を注いで可食状態とする即席食品が収納されるプラスチック製の容器本体と、容器本体の上面開口部を覆う紙製の蓋体とを備えた即席食品用包装容器の食後の容器と食べ残しの分別処理方法であって、前記蓋体がその裏面に食後の食べ残しを固体物と液体物に分離するための多数の小孔群からなる半円形の紙製のフィルタ部を貼着してなり、食後、容器本体から分離された前記蓋体とフィルタ部との間に開いた凹みに容器本体内に残る食品内容物を注いで固体物と液体物に分離し、その後固体物を蓋体とフィルタ部とで包んで両者を可燃ごみとして、またプラスチック製の容器本体を不燃ごみとして分別処理する。【選択図】図１
2008297013.tif 000002
【特許請求の範囲】
【請求項１】
湯を注いで可食状態とする即席食品が収納されるプラスチック製の容器本体と、この容器本体の上面開口部を覆う紙製の蓋材とを備えてなる即席食品用包装容器の食後の容器と食べ残しの分別処理方法であって、前記蓋体の裏面には食後の食べ残しを固体物と液体物とに分離するための多数の小孔群からなる前記蓋体の面積の半分を占める半円形の紙製のフィルタ部を備え、かつフィルタ部の円弧部の周縁と前記蓋体の周縁部とが貼着されてなり、食後、可食状態となった即席食品を食するため容器から分離された蓋体とフィルタ部を、前記蓋体とフィルタ部との間に凹みができるよう蓋体及びフィルタ部を谷折りにして開き、その開いた凹みに上方から容器本体内に残る食品内容物を注いで固形物と液体物とに分離し、しかる後分離された固体物を蓋体とフィルタ部とで包んでそれらを可燃ごみとして、またプラスチック製の容器本体を不燃ごみとして分別処理することを特徴とする即席食品用包装容器の食後の容器と食べ残しの分別処理方法。
【請求項２】
前記フィルタ部の小孔群の各孔の直径が１．０ｍｍ〜７．０ｍｍであることを特徴とする請求項１に記載の即席食品用包装容器の食後の容器と食べ残しの分別処理方法。
【請求項３】
前記フィルタ部の小孔の数が２５個以上１５０個以下であることを特徴とする請求項１又は２に記載の即席食品用包装容器の食後の容器と食べ残しの分別処理方法。
【発明の詳細な説明】
【技術分野】
【０００１】
本発明は、容器本体内に湯を注いで即席食品（即席麺等）を可食状態にして食するために使用する即席食品用包装容器の食後の容器と食べ残しの分別処理方法に関し、特に食後の食べ残しである容器本体内に残る食品内容物を、簡便な方法で固体物と液体物とに分離し、合わせて可燃ごみと不燃ごみとの分別処理をし易くした即席食品用包装容器の食後の容器と食べ残しの分別処理方法に関する。
【背景技術】
【０００２】
即席食品は、保存性・携帯性・利便性に優れる等、種々の利点を有する。代表的な即席食品の一つであるカップ麺は、容器本体内に湯を注いで可食状態にして食する。しかし、食後の食べ残し（麺や具等の固体物、スープ等の液体物）が生じた場合、その分別処理に困ることがある。自宅で食する場合には台所の流し台の水切かごや水切ネット等に流して、それら固体物と液体物とを分離して分別処理することができるが、特に屋外で食する場合にはそれができないため、分別処理に困る事態が生じる。
【０００３】
即席食品用包装容器のうち、食後に容器本体内に食べ残した食品の固体物と液体物を分離できるようにした蓋の構造が知られている（特許文献１）。
【０００４】
これは、蓋が外蓋と内蓋の二重構造からなるとともに、内蓋が小穴の開いた部分と小穴の開いていない部分とで２つに分離される構成をしており、外蓋を大きく開けると、小穴の開いていない内蓋部分が外蓋に張り付いて同時に剥がれ、小穴の開いた内蓋部分のみが容器本体側に張り付き残る構造となっている。食後は容器を傾け、容器本体側に張り付き残る内蓋部分側に食べ残しを集め、液体物を濾過させて、固体物と分離する。
【０００５】
【特許文献１】特開２００２−２１１６２１号公報
【発明の開示】
【発明が解決しようとする課題】
【０００６】
しかし、上記の構造は、固体物を分離できるものの、可燃ごみと不燃ごみに分別処理するためには、容器本体側に分離した固体物を今度は容器本体と分離する必要があり（容器本体は通常ポリスチレン等の合成樹脂から成り、不燃ごみとして処理される。）、依然として分別処理に手間がかかる。
【０００７】
また、蓋の周縁部に湯切り用の穴を複数設ける構造も知られているが（特許文献２）、この穴を容器本体内に残る食品内容物の分離に利用できたとしても、分離後に容器本体側に残る固体物をさらに容器本体と分離する必要が生じる点では、上記の従来構造と同じである。
【０００８】
【特許文献２】特開２００２−１４５３５２号公報
【０００９】
本発明は、食後の食べ残しである容器本体内に残った食品内容物を、簡便な方法で固体物と液体物とに分離することができ、しかも、その後の容器本体と食べ残しの固形物との分別処理を容易にすることのできる即席食品用包装容器の食後の容器と食べ残しの分別処理方法を提供することを目的とする。
【課題を解決するための手段】
【００１０】
上記の課題を解決するために、湯を注いで可食状態とする即席食品が収納されるプラスチック製の容器本体と、この容器本体の上面開口部を覆う紙製の蓋材とを備えてなる即席食品用包装容器の食後の容器と食べ残しの分別処理方法であって、前記蓋体の裏面には食後の食べ残しを固体物と液体物とに分離するための多数の小孔群からなる前記蓋体の面積の半分を占める半円形の紙製のフィルタ部を備え、かつフィルタ部の円弧部の周縁と前記蓋体の周縁部とが貼着されてなり、食後、可食状態となった即席食品を食するため容器から分離された蓋体とフィルタ部を、前記蓋体とフィルタ部との間に凹みができるよう蓋体及びフィルタ部を谷折りにして開き、その開いた凹みに上方から容器本体内に残る食品内容物を注いで固形物と液体物とに分離し、しかる後分離された固体物を蓋体とフィルタ部とで包んでそれらを可燃ごみとして、またプラスチック製の容器本体を不燃ごみとして分別処理するようにしている。
なお、固体物と分離された食べ残しの液体物は、専用の容器などに収容し、固体物とは別に処理する。
【００１１】
前記容器本体は、ポリスチレン（ＰＳ）樹脂、ポリエチレン（ＰＥ）樹脂、ポリプロピレン（ＰＰ）樹脂、ポリ塩化ビニル樹脂などの単独素材または複合素材の組み合わせからなる。このような材質からなるプラスチック製の容器本体は、不燃ごみとして分別処理されるものである。
【００１２】
前記蓋体の材質は、紙を主要素材としており、紙の種類としては、片面アート紙、両面アート紙の他、コート紙、上質紙などがある。紙の表面および裏面に副素材としてアルミ箔（ガスバリア層）や、ポリエチレンフィルム（シーラント層）などが積層されていてもよい。このような材質からなる紙製の蓋体は、可燃ごみとして分別処理されるものである。
【００１３】
前記フィルタ部の小孔群の各孔の直径は１．０ｍｍ〜７．０ｍｍであることが望ましい。直径が１．０ｍｍ未満であると分離に時間がかかる。７．０ｍｍを越えると、麺、具、かやく等の固体物がフィルタ部の小孔から漏れるおそれがある。これらの小孔群は、同一径の多数の小孔から構成してもよいが、異なる径（大、中、小）の多数の小孔を混在させることが望ましい。後者によれば分離効率の一層の向上を期待することができる。
【００１４】
前記フィルタ部の小孔の数は２５個以上１５０個以下であることが望ましい。２５個未満であると分離に時間がかかる。１５０個を超えると、コストがアップするだけで分離の効率はそれほど変わらない。また、これらの小孔群は、規則的に配置してもよいが、不規則的に配置するようにしてもよい。
【発明の効果】
【００１５】
本発明の即席食品用包装容器の食後の容器と食べ残しの分別処理方法によれば、容器本体から分離した蓋体と、蓋体に貼着されたフィルタ部とを使って、食後の食べ残しである容器本体内に残る食品内容物を固体物と液体物に分離することができ、しかも、その後の容器本体と食べ残しの固形物との分別処理においても、蓋体とフィルタ部との間の凹みに残る固体物を蓋体とフィルタ部とで確実に包むことができるので、この食べ残しの固体物を紙製の蓋体及びフィルタ部と一緒にして可燃ごみとして分別処分し、容器本体を不燃ごみとして分別処理することができ、食べ残しの固体物と液体物の分離から可燃ごみと不燃ごみとの分別処理に至る作業が極めて簡便で、容易かつスムーズに行えるという効果を奏する。
【発明を実施するための最良の形態】
【００１６】
以下、本発明の即席食品用包装容器の食後の容器と食べ残しの分別処理方法の実施の形態を図１〜図３を参照して説明する。
【００１７】
図１は、本発明の即席食品用包装容器の食後の容器と食べ残しの分別処理方法で使用する即席食品用包装容器１の外観を示している。
前記即席食品用包装容器１は、図示しない即席麺が収容されるプラスチック製（発砲ポリスチレン樹脂製）の容器本体２と、容器本体２の上面開口部を覆う紙製の蓋体３とでなり、当該蓋体３の裏面には食後の食べ残しを固形物と液体物に分離するための多数の小孔１１群からなる半円形の紙製のフィルタ部１０がその円弧部１０ａの周縁を、当該蓋体の周縁部に沿って貼着されており、そして蓋体３は容器本体２の上面周縁２ａに接着され、蓋体３の外周縁の一部には開封用のプルタブ４が設けられている。
【００１８】
フィルタ部１０を蓋体３の裏面に装着することによって、即席食品用包装容器１の表側からはフィルタ部１０が隠れるのでパッケージ状態の外観を損なうことがなく、簡単に蓋体３にフィルタ部１０を追加することができる。
【００１９】
次に、上記の即席食品用包装容器１の食後の容器と食べ残しの分別処理方法を説明する。
【００２０】
図２に示すように裏面にフィルタ部１０を装着してなる蓋体３を容器本体２から分離した後、図３に示すように、蓋体３とフィルタ部１０の間に凹みができるように蓋体３とフィルタ部１０を谷折りにし、蓋体３とフィルタ部１０との間が開いた状態で、蓋体３の上部を掴み、その凹みに上方から食後の食べ残しである容器本体２内に残る食品内容物を注ぐ。すると食品内容物のうち液体物はフィルタ部１０の各小孔１１から排出され、麺や具、かやく等の固体物は蓋体３とフィルタ部１０の間の凹みに残る。
【００２１】
後は、蓋体３とフィルタ部１０とによって固体物を包み、これらを一緒にして可燃ごみとして、プラスチック製の容器本体１を不燃物ごみとして分別処理すればよい。また、フィルタ部１０の各小孔１１から排出される液体物は、専用容器に収容すればよい。
【００２２】
なお、紙製のフィルタ部１０の代わりに、可燃ごみとして処理することのできる水切りネット（多数の小孔群が網目状に形成される）を蓋体３の裏面に装着して使うことも可能である。さらに、これらの紙製のフィルタ部１０や水切りネットは、即席食品用包装容器１がパッケージの状態にある時には他のスープ等の収容袋とともに容器本体２内に収容しておき、使用時に取り出して蓋体３の裏面や表面に装着させる構成としておいてもよい。装着手段としては蓋体３、又は紙製のフィルタ部１０のいずれか一方に接着部を設ければよい。
【図面の簡単な説明】
【００２３】
【図１】本発明の即席食品用包装容器の食後の容器と食べ残しの分別処理方法で使用する即席食品用容器の斜視図、
【図２】蓋体を裏側から見た平面図、
【図３】蓋体を利用して容器本体内に残る食品内容物を分離する方法を示す斜視図である。
【符号の説明】
【００２４】
１：即席食品用包装容器
２：容器本体
２ａ：上面周縁
３：蓋体
４：プルタブ
１０：フィルタ部
１０ａ：円弧部
１１：小孔
【図１】
2008297013.tif 000003
【図２】
2008297013.tif 000004
【図３】
2008297013.tif 000005